(57)【要約】【課題】水平方向への外力が作用しても、支柱への固定安定性に優れるブラケットを提供すること。また、棚用以外に、ハンガーなどの吊り下げ具を安定に吊り下げることができるブラケットを提供すること。【解決手段】略四角断面の支柱に取着されて棚板部材、バスケット又は吊るし部材などの補助什器を支持するブラケット１０であって、上下多段にスリット孔が形成された支柱に取着される取付け部１と、取付け部１と一体である略水平方向に延在するブラケット本体部２と、を有し、取付け部１は、スリット孔２１に係止する係止爪部１１と、支柱２０の取着側の左右角部２０１ａ、２０１ｂに掛り係止する両腕係止部１３とを有し、両腕係止部１３は互いに側面視で重なることがない位置に形成されている。【選択図】図１
2015208593.tif 000002
【特許請求の範囲】
【請求項１】
略四角断面の支柱に取着されて棚板部材、バスケット又は吊るし部材などの補助什器を支持するブラケットであって、
上下多段にスリット孔が形成された支柱に取着される取付け部と、
該取付け部と一体である略水平方向に延在するブラケット本体部と、
を有し、
該取付け部は、該スリット孔に係止する係止爪部と、該支柱の取着側の左右角部に掛り係止する両腕係止部とを有し、
該両腕係止部は互いに側面視で重なることがない位置に形成されていることを特徴とするブラケット。
【請求項２】
該取付け部は、該係止爪部が係止するスリット孔が形成される取着面に当接する面部を更に有し、該両腕係止部は、該面部の左右側端に形成されていることを特徴とする請求項１記載のブラケット。
【請求項３】
前記ブラケット本体部は、棒状であることを特徴とする請求項１又は２記載のブラケット。
【請求項４】
前記棒状は、四角形断面の角棒状であることを特徴とする請求項３記載のブラケット。
【請求項５】
前記ブラケケット本体部の先端側の上面には、上方に突出する先端係止部が形成されていることを特徴とする請求項１〜４のいずれか１項に記載のブラケット。
【請求項６】
前記係止爪部は、２つ又は３つ直列状に形成されていることを特徴とする請求項１〜５のいずれか１項に記載のブラケット。
【請求項７】
請求項１〜６のいずれか１項に記載のブラケットを、前記支柱に取着してなることを特徴とする商品陳列什器。
【請求項８】
前記スリット孔は、前記支柱の四つの面にそれぞれ形成されていることを特徴とする請求項７記載の商品陳列什器。 
【発明の詳細な説明】
【技術分野】
【０００１】
本発明は、例えば、衣料品販売店等において使用する衣料品を陳列する商品陳列什器で使用するブラケットであり、特に水平方向における移動が規制され設置安定性に優れるブラケットに関するものである。
【背景技術】
【０００２】
ブラケットは、腕木など、片持ち状の支持具の総称であり、商品陳列什器においては、棚板部材、大型バスケット等の受け部材として知られている。このような棚受けブラケットは、図９に示すように、支柱のスリット孔に取着される取着部（係止爪部）１００と、棚板部材が載置される片持ち状本体部２００と、棚板部材の位置を定める先端突起３００を備えるものが多数提案されている。
【０００３】
特開２００８−１３６６８５号公報には、サポート部材に上下多段に設けられたスリットに、後端部に設けられた係止フックが挿入され片持ち状に支持され、上部に棚板が載置される陳列棚用ブラケットにおいて、前記棚板が載置される面に装着される断面コの字状の樹脂製滑り止め材と、前記載置面に設けられ前記滑り止め材のブラケットからの脱落を抑制する突部とを備え、前記突部の高さが滑り止め材の樹脂の弾性力で吸収可能な高さに形成されていることを特徴とする陳列棚用ブラケットが記載されている。
【０００４】
特開２００１−２４５７３４号公報には、基板（６）の後縁（６ａ）に第一係止爪（１）と、第二係止爪（２）と、第三係止爪（３）とを略一定の突設間隔（Ｐ）で設けており、第一乃至第三係止爪（１，２，３）は一段係合部（１１，２１，３１）と、二段係合部（１２，２２，３２）とを各々備え、両係合部（１１，２１，３１，１２，２２，３２）が、支柱（７）の取付孔（９，９）間の残壁部（８）に係合する切欠部と、残壁部（８）の表裏面の何れかに当接して基板（６）の前傾脱落を阻止する係止片とを備えており、第二係止爪（２）が残壁部（８）の裏面に当接して基板（６）の前傾脱落を阻止する三段係合部（２３）を、第三係止爪（３）が残壁部（８）に載置する三段係合部（３３）を備えている棚用ブラケットが記載されている。これら従来の棚用ブラケット及び意匠登録１２９２２４６号公報、意匠登録１２９２２４５号公報、意匠登録１２７２８４３号公報、意匠登録１２２８８５３号公報に開示の棚用あるいは棚受けブラケットは、一対のブラケットにより、棚板部材を安定に支持するものである。
【先行技術文献】
【特許文献】
【０００５】
【特許文献１】特開２００８−１３６６８５号公報
【特許文献２】特開２００１−２４５７３４号公報
【非特許文献１】意匠登録１２９２２４５号公報
【非特許文献２】意匠登録１２９２２４６号公報
【非特許文献３】意匠登録１２７２８４３号公報
【非特許文献４】意匠登録１２２８８５３号公報
【発明の概要】
【発明が解決しようとする課題】
【０００６】
しかしながら、従来のブラケットは、支柱への取付けが支柱に上下多段に形成されたスリットに係止爪を係止させるものであり、例えばひとつのブラケットを棚受け用以外のハンガー等の吊り下げ具を吊り下げる支持部材として使用する場合、水平方向への外力が作用すると、支持が安定せず、棚受け用以外は使用できないものであった。
【０００７】
従って、本発明の目的は、水平方向への外力が作用しても、支柱への固定安定性に優れるブラケットを提供することである。また、本発明の他の目的は、棚受け用以外に、ハンガーなどの吊り下げ具を安定に吊り下げることができるブラケットを提供することである。
【課題を解決するための手段】
【０００８】
すなわち、本発明は、上記従来技術の課題を解決したものであり、略四角断面の支柱に取着されて棚板部材、バスケット又は吊るし部材などの補助什器を支持するブラケットであって、上下多段にスリット孔が形成された支柱に取着される取付け部と、該取付け部と一体である略水平方向に延在するブラケット本体部と、を有し、該取付け部は、該スリット孔に係止する係止爪部と、該支柱の取着側の左右角部に掛り係止する両腕係止部とを有し、該両腕係止部は互いに側面視で重なることがない位置に形成されていることを特徴とするブラケットを提供するものである。
【０００９】
また、本発明は、前記ブラケケットを、前記支柱に取着してなることを特徴とする商品陳列什器を提供するものである。
【発明の効果】
【００１０】
本発明のブラケットによれば、水平方向への外力が作用しても、支柱への固定が安定している。このため、棚受け用のみならず、ハンガーなどの吊り下げ具を安定に吊り下げることができる。本発明の商品陳列什器は、ブラケットを棚受け用及び吊り下げ用として使用すれば、少ない部品点数で、趣のある陳列を演出できる。
【図面の簡単な説明】
【００１１】
【図１】本発明の実施の形態におけるブラケットの斜視図である。
【図２】本発明の実施の形態におけるブラケットの他の斜視図である。
【図３】図１のブラケットの取付け部の平面図である。
【図４】図１のブラケットの取付け部の左側面図である。
【図５】図１のブラケットの取付け部の取付け部側から見た背面図である。
【図６】図１のブラケットの使用状態の一例を示す斜視図である。
【図７】図６のブラケットの正面図である。
【図８】本発明の実施の形態における商品陳列什器の斜視図である。
【図９】従来のブラケットの斜視図である。
【発明を実施するための最良の形態】
【００１２】
本発明の実施の形態におけるブラケット１０は、上下多段にスリット孔２１が形成された略四角形断面の支柱２０に取着される取付け部１と、取付け部１と一体である略水平方向に延在するブラケット本体部２と、を有し、該取付け部１は、スリット孔２１に係止する係止爪部１１と、支柱２０の取着側の左右角部２０１ａ、２０１ｂに掛り係止する両腕係止部１３（１３ａ、１３ｂ）とを有し、両腕係止部１３（１３ａ、１３ｂ）は互いに側面視で重なることがない位置に形成されている（図４参照）。
【００１３】
取付け部１において、係止爪部１１と両腕係止部１３（１３ａ、１３ｂ）は、連結部材で一体となっているものがよい。本例において、係止爪部１１と両腕係止部１３（１３ａ、１３ｂ）を連結する部材は、係止爪部１１が係止するスリット孔２１が形成される取着面２０２に当接する面部１２である。なお、本例では、面部１２、両腕係止部１３及び中央の係止爪部１１１ｂは一体物である。面部１２は支柱２０に取着される際、支柱２０の取着面２０２と面接触する部分であり、本例では中央の係止爪部１１ｂを除いて平坦面である。これにより、支柱２０に対するブラケット１０の取付けが安定する。本発明において、面部１２は、両腕係止部１３（１３ａ、１３ｂ）を一体的に連接するものであれば、大きさ及び形状等は特に制限されない。
【００１４】
取付け部１において、両腕係止部１３中、一方の腕係止部１３ａは、面部１２の左右方向の一方の端部上側から横方向外側に突出し、更に先端が反ブラケット本体部側に直角（鉤状）に屈曲するものであり、他方の腕係止部１３ｂは、面部１２の左右方向の反対側（他方）の端部下側から横方向外側に突出し、更に先端が反ブラケット本体部側に直角（鉤状）に屈曲するものであり、一方の腕係止部１３ａの下端１３２ａは、他方の腕係止部１３ｂの上端１３１ｂより上方に位置する。すなわち、両腕係止部１３（１３ａ、１３ｂ）は互いに側面視で重なる部分がない段違いの位置に形成されている。これにより、一つの略四角形支柱２０を構成する四つの面の中、隣接して直交する２つの面において、同じ高さ位置で取り付けることができる（図６及び図７参照）。
【００１５】
また、両腕係止部１３の面部１２の端からの左右方向外側へ突出する長さ（内寸法）（ｌ２）は、両腕係止部１３の先端における反ブラケット本体部側への突出する長さ（内寸法）（ｌ１）より大である。これにより、一つの略四角形支柱２０を構成する四つの面の中、隣接して直交する２つの面において、同じ高さ位置で取り付けた際、一方のブラケット１０の一方の腕係止部１３ａと、他方のブラケット１０の他方の腕係止部１３ｂは、端同士が接触又は重なることがなく、設置の障害とならない（図６及び図７参照）。両腕係止部１３の内寸法は、支柱２０の外寸法より極僅か大である。これにより、両腕係止部１３が支柱２０を抱くことになり、横方向の外力が作用しても係止が外れることがない。すなわち、両腕係止部１３が取着側（取着面）の左右角部２０１ａ、２０１ｂに掛り係止することになる。
【００１６】
取付け部１は、スリット孔２１に係止する２つ又は３つの係止爪部１１を有する。係止爪部１１が一つでは係止の安定性に欠け、４つ以上では、取付け部１の形状が大きくなり過ぎて、陳列へ影響する一方、設置安定性において３つと比較してそれほどの効果を得るものではない。係止爪部１１は本例では３つであり、支柱２０のスリット形成位置に対応する位置に直列状に設置される。係止爪部１１の形状は、従来のものと同様でよく、板状体の下端に支柱２０を形成する面部材の厚みよりやや大の幅を有する切欠きが形成されたものである。これにより、係止爪部１１をスリット孔２１に対して横から差し込み、次いで下方へ落とすことで、ブラケット１０を支柱２０に係止できる。本例の３つの係止爪部１１の形成位置は、上方の係止爪部１１ａは取付け部１の上方、すなわち、係止爪部１１ａの上端がブラケット本体部２の上端面と略面一となる位置に、中央の係止爪部１１ｂは、取付け部１の上下方向の中央に、下方の係止爪部１１ｃは、取付け部１の下方に形成される。スリット孔２１に係止爪部１１を係止することで、棚板部材を安定に支持することができる。
【００１７】
ブラケット本体部２は、取付け部１から反支柱方向に略水平状に又は極僅か斜め上方に延出するものであり、棒状であることが好ましく、本例では、四角形断面の角棒状である。これにより、ブラケット１０をブラケット本体部２が前後方向に延出するように左右一対で用いれば、棚板部材やバスケットなどの載置物を載せることができ、また、単独で用いればハンガーなどを吊るすこともできる。
【００１８】
ブラケット１０は、ブラケット本体部２と取付け部１との固定を強固にするため、ブラケット本体部２と取付け部１の交差内側を固定する補強部材１４を有していてもよい。これにより、取付け部１へのブラケット本体部２の固定が安定する。
【００１９】
ブラケット１０において、ブラケケット本体部２の先端側の上面には、上方に突出する先端係止部３が形成されていてもよい。先端係止部３は、例えば円筒小突起が挙げられる。これにより棚板部材を安定して設置できる。すなわち、ブラケケット本体部２の基端から先端係止部３の内側までの寸法が、棚板部材の前後方向における奥行幅より極僅か大であれば、棚板部材をガタツキなく設置できる。本発明のブラケット１０は、棚板部材、バスケット又は吊るし部材などの補助什器を支持する支持部材である。
【００２０】
次に、本発明の実施の形態における商品陳列什器を図６〜図８を参照して説明する。商品陳列什器５０は、ブラケット１０を、略四角形断面の支柱２０に取着してなるものである。商品陳列什器５０は、箱状の基台２３と、基台２３から離間して起立する２本の支柱２０、２０と、２本の支柱２０、２０を上端近傍で接続する接続バー部材２２とを備える。すなわち、基台２３と２本の支柱２０、２０でアーチ形状（門型形状）を形成する。
【００２１】
商品陳列什器５０において、基台２３の長手方向の長さは２本の支柱２０、２０間寸法の２倍となっている。これにより、支柱２０から左右方向外側に延びるブラケット１０ａに商品を吊り下げても支持が安定する。また、基台２３の短手方向の長さはブラケット１０の長手方向長さの約２倍となっている。これにより、支柱２０から前後方向に延びるブラケット１０ｂ、１０ｃに商品を吊り下げても支持が安定する。なお、本発明において、基台２３は図８に示すような箱状に限定されず、板状、枠状あるいはパイプの組み物等であってもよい。商品陳列什器５０における支柱２０は、支柱２０を構成する四つの面にそれぞれ上下多段にスリット孔が形成されている。これにより、支柱２０を構成する四つの面をブラケット１０の取着面とすることができる。支柱２０において、略四角形断面とは、角がアールとなっている支柱を含む意味である。四角形断面は正四角形断面とすることが、支柱２０の４つの面に同じ形状のブラケット１０を設置することができる点で好ましい。
【００２２】
商品陳列用什器５０において、前方の棚板部材３０ａは、前方の左右一対のブラケット１０に支持されている。前方の左右一対のブラケット１０は、支柱２０の前面を取着面２０２とし、同じ高さで左右対称位置に設置したものである。後方の棚板部材３０ｂは、後方の左右一対のブラケット１０に支持されている。後方の左右一対のブラケット１０は、支柱２０の後面を取着面２０２とし、同じ高さで左右対称位置に設置したものである。棚板部材３０には、高級品カッターシャツ、セーター等の陳列に好適である。
【００２３】
商品陳列什器５０において、前方のバスケット４０は、前方の左右一対のブラケット１０に支持されている。前方の左右一対のブラケット１０は、支柱２０の前面を取着面２０２とし、同じ高さで左右対称位置に設置したものである。バスケット４０には、カッターシャツ等の陳列に好適である。
【００２４】
また、ブラケット１０の支柱２０への取着面２０２を内側とし、左右一対のブラケット１０を設置してもよい。この場合、図８に示すようなバー部材６０とすることができる。この場合、２つの対峙する支柱間の寸法（ｌ４）は、ブラケット１０のブラケット本体部２の長手方向長さ（ｌ３）の２倍となっている。すなわち、バー部材６０は左右一対のブラケット１０を内側に延出させ突き合わせて１本のバー部材としたものである。これにより、ハンガー等の吊り下げ具に架けられた衣料品の陳列に好適なものとなる。このようなバー部材６０は水平方向の外力が作用することがあるが、支柱２０に対するブラケット１０の両腕係止部１３の係止により、安定した支持をすることができる。
【００２５】
また、４本のブラケット１０を準備し、支柱２０への取着面２０２を４面全てとし、同一水平位置で設置してもよい。この場合、図６〜図８に示すような支柱２０を中心として平面視が十字状のバー部材７０とすることができる。このようなブラケット１０の設置であっても、一方のブラケット１０の一方の腕係止部１３ａと、隣接する他方のブラケット１０の他方の腕係止部１３ｂは、それぞれ上側と下側に位置し、且つそれぞれの端が接触しないため、図６〜図８のような隣接位置にある２つの面に設置しても障害とならず、且つ水平方向の外力が作用しても安定した支持をすることができる。
【産業上の利用可能性】
【００２６】
本発明のブラケットは、水平方向への外力が作用しても、支柱への固定安定性に優れるため、棚受け用のみならず、ハンガーなどの吊り下げ具を安定に支持する吊り下げ用として使用できる。このため、商品陳列什器を構成する部品は、例えば支柱基台、棚板部材、バスケット及びブラケットの４点と少ない部品点数で、陳列の演出を高めることができる。
【符号の説明】
【００２７】
１      取付け部
２      ブラケット本体部
３      先端係止部
１０      ブラケット
１１      係止爪部
１２      面部
１３      両腕係止部
１４      補強部材
２０      支柱
２１      スリット孔
３０      棚板部材
４０      バスケット
５０      商品陳列什器
６０      バー部材
【図１】
2015208593.tif 000003
【図２】
2015208593.tif 000004
【図３】
2015208593.tif 000005
【図４】
2015208593.tif 000006
【図５】
2015208593.tif 000007
【図６】
2015208593.tif 000008
【図７】
2015208593.tif 000009
【図８】
2015208593.tif 000010
【図９】
2015208593.tif 000011